(57)【要約】【課題】ＭＥ呼出の発生時における患者の状態に加え、現時点での患者の状態をＭＥ画像によって確認することができるようにする。【解決手段】医療機器２からのＭＥ呼出が発生したとき、ナースコール親機６が医療機器２からＭＥ画像を取得して呼出発生時ＭＥ画像として画像サーバ１１に格納し、その後、ＩＰ携帯電話１０において呼出発生時ＭＥ画像の取得要求が発生したとき、医療機器２からその時点でのＭＥ画像を取得して履歴確認時ＭＥ画像として画像サーバ１１に格納する。そして、呼出発生時ＭＥ画像および履歴確認時ＭＥ画像を画像サーバ１１からＩＰ携帯電話１０に送信して表示させるようにすることにより、ＭＥ呼出の発生時に手が離せず応答できなかった看護師が、その後ＭＥ呼出の履歴を確認しているときに、ＭＥ呼出の発生時と現時点の患者の状態をＭＥ画像によって確認することができるようにする。【選択図】図１
2014220671.tif 000002
【特許請求の範囲】
【請求項１】
携帯用ナースコール親機にＭＥ画像を表示するように成されたナースコールの画像表示制御システムであって、
ナースコール子機の一種である医療機器からのＭＥ呼出が発生したとき、上記医療機器から測定結果を示すＭＥ画像を呼出発生時ＭＥ画像として取得する第１のＭＥ画像取得部と、
上記第１のＭＥ画像取得部により取得された上記呼出発生時ＭＥ画像を第１の画像ＩＤと共に画像サーバに格納する第１のＭＥ画像格納部と、
上記携帯用ナースコール親機において上記呼出発生時ＭＥ画像の取得要求が発生したとき、上記ナースコール子機の識別情報を含む画像取得要求を発生する第１の画像取得要求送信部と、
上記画像取得要求に含まれる上記ナースコール子機の識別情報に対応する上記医療機器から測定結果を示すＭＥ画像を履歴確認時ＭＥ画像として取得する第２のＭＥ画像取得部と、
上記第２のＭＥ画像取得部により取得された上記履歴確認時ＭＥ画像を第２の画像ＩＤと共に上記画像サーバに格納する第２のＭＥ画像格納部と、
上記画像取得要求を送信した上記携帯用ナースコール親機に対して、上記第１の画像ＩＤに対応する上記呼出発生時ＭＥ画像および上記第２の画像ＩＤに対応する上記履歴確認時ＭＥ画像を上記画像サーバから送信して表示させる画像表示制御部とを備えことを特徴とするナースコールの画像表示制御システム。
【請求項２】
上記画像表示制御システムは、上記ナースコール子機と、ナースコール親機と、上記携帯用ナースコール親機と、上記画像サーバとを備えたナースコールシステムに実装され、
上記ナースコール親機は、上記第１のＭＥ画像取得部および上記第２のＭＥ画像取得部に加えて、
上記ＭＥ呼出が発生したとき、上記第１の画像ＩＤおよび上記ナースコール子機の識別情報を含む呼出信号を上記携帯用ナースコール親機に向けて送信する呼出信号送信部と、
上記携帯用ナースコール親機から送信された上記画像取得要求を受信する画像取得要求受信部と、
上記画像取得要求受信部で上記画像取得要求を受信したとき、上記第２の画像ＩＤを上記携帯用ナースコール親機に向けて送信する画像ＩＤ通知部とを備え、
上記携帯用ナースコール親機は、
上記呼出信号送信部により送信された上記呼出信号を受信したとき、上記第１の画像ＩＤおよび上記ナースコール子機の識別情報を含む呼出履歴情報を記録する呼出履歴記録部と、
上記呼出履歴情報に含まれる上記第１の画像ＩＤを含む第１の画像取得要求を上記画像サーバに送信するとともに、上記呼出履歴情報に含まれる上記ナースコール子機の識別情報を含む上記画像取得要求を上記ナースコール親機に向けて送信する上記第１の画像取得要求送信部と、
上記画像ＩＤ通知部により送信された上記第２の画像ＩＤを受信したとき、当該第２の画像ＩＤを含む上記第２の画像取得要求を上記画像サーバに送信する第２の画像取得要求送信部と、
上記画像表示制御部により送信された上記呼出発生時ＭＥ画像および上記履歴確認時ＭＥ画像を画面に表示させる表示制御部とを備え、
上記画像サーバは、上記第１のＭＥ画像格納部、上記第２のＭＥ画像格納部および上記画像表示制御部に加えて、
上記携帯用ナースコール親機から送信された上記第１の画像取得要求を受信する第１の画像取得要求受信部と、
上記携帯用ナースコール親機から送信された上記第２の画像取得要求を受信する第２の画像取得要求受信部とを備え、
上記画像表示制御部は、上記第１の画像取得要求および上記第２の画像取得要求を送信した上記携帯用ナースコール親機に対して、上記第１の画像取得要求受信部により受信された上記第１の画像取得要求に含まれる上記第１の画像ＩＤに対応する上記呼出発生時ＭＥ画像と、上記第２の画像取得要求受信部により受信された上記第２の画像取得要求に含まれる上記第２の画像ＩＤに対応する上記履歴確認時ＭＥ画像とを送信して表示させることを特徴とする請求項１に記載のナースコールの画像表示制御システム。
【発明の詳細な説明】
【技術分野】
【０００１】
本発明は、ナースコールの画像表示制御システムに関し、特に、ナースコール子機からの呼び出しをナースコール親機や携帯用ナースコール親機へ報知するようになされたナースコールシステムに適用して好適なものである。
【背景技術】
【０００２】
一般に、病院や介護施設などで使われるナースコールシステムは、患者や被介護者（以下、単に患者という）が医師や看護師、介護師（以下、単に看護師という）のサポートを必要とする際に、患者がナースコール子機の呼出ボタン等を押下することによって看護師を呼び出すことができるように成されたシステムである。
【０００３】
多くのナースコールシステムでは、ナースセンタに設置されたナースコール親機への呼び出しを行うが、ＰＢＸ（Private Branch Exchange）を介して看護師が携帯するＰＨＳ（Personal Handyphone System）端末への呼び出しを行うナースコールシステムも提供されている。近年では、ＳＩＰ（Session Initiation Protocol）サーバを備え、ＩＰ（Internet Protocol）電話への呼び出しを行うナースコールシステムも提案されている（例えば、特許文献１参照）。
【０００４】
この特許文献１に記載のナースコールシステムは、室内の患者から呼び出しおよび通話を行うナースコール子機と、ナースコール子機からの呼び出し（呼出元、呼出先、呼出時間等の呼出履歴）を表示し応答通話を行うナースコール親機および携帯用ナースコール親機（ＩＰ電話）とで構成する。そして、ナースコール親機およびＩＰ電話を、内線同士を接続するＳＩＰサーバにより相互に接続している。
【０００５】
また、ナースコール子機からの呼出情報に加えてカメラの撮影映像をナースコール親機に送信するようにしたＷＥＢナースコール装置も提案されている（例えば、特許文献２参照）。この特許文献２に記載のＷＥＢナースコール装置では、カメラと、当該カメラの映像信号およびナースコール子機からの呼出情報を介護施設へ送信するＷＥＢアダプタとを被介護者宅に備え、介護施設はナースコール親機を備えている。ナースコール親機では、呼出情報で示される呼出者の情報を記憶部から読み出し、送られてきた映像信号と共にディスプレイに表示する。
【０００６】
これらの特許文献１，２を含む従来のナースコールシステムでは、ナースコール親機や携帯用ナースコール親機に対する呼び出しの報知が、呼出音の鳴動とモニタ画面への表示とによって行われる。例えば、ナースコール子機から呼び出しが行われると、ナースコール親機や携帯用ナースコール親機にて呼出音が鳴るとともに、呼び出しを行った患者の氏名、部屋番号などの患者情報がモニタ画面に表示される。患者情報に加えて、一般呼出／緊急呼出／ＭＥ呼出などの呼出種別を表示するように成されたシステムも存在する。なお、ＭＥ呼出は、ナースコール子機に接続された医療機器（Medical Equipment）において患者の異常を検出したときに行われる呼び出しである。
【０００７】
ナースコール子機からの呼び出しがあったときに、ナースコール親機や携帯用ナースコール親機のモニタ画面に呼出種別を表示するナースコールシステムによれば、看護師が呼び出しの緊急度を把握して、緊急度の高い呼び出しに対して迅速に応答するなどの適切な対応をとることができる。しかしながら、従来のナースコールシステムでは、ＭＥ呼出が発生した場合、看護師は呼出種別の表示を見ることによってＭＥ呼出であることまでは把握できるものの、医療機器の測定結果にどのような異常が発生しているかは把握することができないという問題があった。
【０００８】
本出願人は、このような問題に対し、ＭＥ呼出が発生した場合に、医療機器の測定結果にどのような異常が発生しているかまで報知できるようにした技術について特許出願を行った（特許文献３参照）。この特許文献３に記載のシステムでは、医療機器からのＭＥ呼出が発生した場合に、医療機器から測定結果を示すＭＥ画像を取得して記憶装置の所定のロケーションに格納する。そして、ナースコール親機および携帯用ナースコール親機の少なくとも一方において呼出信号を受信した後、応答のための操作を検出したときに、所定のロケーションにアクセスし、記憶装置に格納されているＭＥ画像を取得して表示するようにしている。
【先行技術文献】
【特許文献】
【０００９】
【特許文献１】特開２０１０−２３２７５８号公報
【特許文献２】特開２００５−２０４２４５号公報
【特許文献３】特開２０１２−２３１２８８号公報
【発明の概要】
【発明が解決しようとする課題】
【００１０】
ところで、携帯用ナースコール親機に対する呼び出しが行われたときに、呼出履歴を携帯用ナースコール親機に記録して残しておくことが一般的に行われている。そのため、特許文献３に記載のシステムにおいて、携帯用ナースコール親機に記録された呼出履歴に対して、ＭＥ呼出が行われた際に画像サーバに記憶されたＭＥ画像を紐付けておくことにより、ＭＥ呼出が行われた際に記憶されたＭＥ画像を、後から呼出履歴を確認するときに画像サーバより携帯用ナースコールにて取得して表示させることも可能である。
【００１１】
しかしながら、ＭＥ呼出が行われた際のＭＥ画像を携帯用ナースコール親機に表示させることはできるが、呼出履歴を確認している時点におけるＭＥ画像を取得して表示させることはできない。そのため、ＭＥ呼出の発生時に手が離せず応答できなかった看護師が、ＭＥ呼出発生時のＭＥ画像を確認することはできるものの、現時点で患者がどのような状態になっているのかをＭＥ画像によって確認することができないという問題があった。
【００１２】
本発明は、このような問題を解決するために成されたものであり、ＭＥ呼出の履歴を確認している看護師が、ＭＥ呼出の発生時における患者の状態に加えて、現時点で患者がどのような状態なのかをＭＥ画像によって確認することができるようにすることを目的とする。
【課題を解決するための手段】
【００１３】
上記した課題を解決するために、本発明では、医療機器からのＭＥ呼出が発生したとき、医療機器から測定結果を示すＭＥ画像を取得して第１の画像ＩＤと共に呼出発生時ＭＥ画像として画像サーバに格納する。また、携帯用ナースコール親機において呼出発生時ＭＥ画像の取得要求が発生したとき、呼出履歴情報に含まれているナースコール子機の識別情報を含む画像取得要求を発生し、当該ナースコール子機の識別情報に対応する医療機器から測定結果を示すＭＥ画像を取得して第２の画像ＩＤと共に履歴確認時ＭＥ画像として画像サーバに格納する。そして、画像取得要求を送信した携帯用ナースコール親機に対して、第１の画像ＩＤに対応する呼出発生時ＭＥ画像および第２の画像ＩＤに対応する履歴確認時ＭＥ画像を画像サーバから送信し、表示させるようにしている。
【発明の効果】
【００１４】
上記のように構成した本発明によれば、ＭＥ呼出の発生時に呼出発生時ＭＥ画像が画像サーバに格納された後、携帯用ナースコール親機から画像サーバに対して呼出発生時ＭＥ画像の取得要求を送信すると、それと同時に新たに画像取得要求が発生し、医療機器から現在の測定結果を示す履歴確認時ＭＥ画像が取得されて画像サーバに格納される。そして、ＭＥ呼出の発生時に画像サーバに格納された呼出発生時ＭＥ画像と、その呼出発生時ＭＥ画像の取得要求時に新たに画像サーバに格納された現時点での履歴確認時ＭＥ画像とが画像取得要求元の携帯用ナースコール親機に送信されて表示されることとなる。これにより、例えばＭＥ呼出の発生時に手が離せず応答できなかった看護師が、その後ＭＥ呼出の履歴を確認しているときに、ＭＥ呼出の発生時における患者の状態に加えて、現時点で患者がどのような状態なのかをＭＥ画像によって確認することができるようになる。
【図面の簡単な説明】
【００１５】
【図１】本実施形態によるナースコールの画像表示制御システムの機能構成例を示すブロック図である。
【図２】図１に示す画像表示制御システムを適用した本実施形態によるナースコールシステムの全体構成例を示す図である。
【図３】本実施形態による画像表示制御システムにおいて、ＭＥ呼出が発生したときの動作例を示すフローチャートである。
【図４】本実施形態による画像表示制御システムにおいて、呼出履歴情報を利用してＭＥ画像を取得する際の動作例を示すフローチャートである。
【発明を実施するための形態】
【００１６】
以下、本発明の一実施形態を図面に基づいて説明する。図１は、本実施形態によるナースコールの画像表示制御システムの機能構成例を示すブロック図である。図２は、図１に示す画像表示制御システムを適用した本実施形態によるナースコールシステムの全体構成例を示す図である。本実施形態のナースコールシステムは、ナースコール子機で呼び出しが行われたことをナースコール親機および携帯用ナースコール親機の少なくとも一方に報知するものである。
【００１７】
まず、図２に基づいてナースコールシステムの全体構成について説明する。図２に示すように、本実施形態のナースコールシステムは、ハンド形子機１、医療機器２、壁埋込形子機３、廊下灯４、制御機５、ナースコール親機６、ＩＰアダプタ７、ＳＩＰサーバ８、無線送受信機９、ＩＰ携帯電話１０および画像サーバ１１を備えて構成されている。なお、ハンド形子機１、医療機器２および壁埋込形子機３が特許請求の範囲のナースコール子機に相当し、ＩＰ携帯電話１０が特許請求の範囲の携帯用ナースコール親機に相当する。
【００１８】
ハンド形子機１は、各患者のベッド脇に設置され、看護師の一般呼出を指示するための一般呼出ボタン、緊急呼出を指示するための緊急呼出ボタンなどを備えている。患者が必要に応じて何れかの呼出ボタンを押下すると、ハンド形子機１は、押下された呼出ボタンに対応する呼出種別の情報を含む呼出信号を出力する。例えば、患者が一般呼出ボタンを押下すると、ハンド形子機１は、一般呼出であることを示す呼出種別情報を含む呼出信号を出力する。
【００１９】
医療機器２は、人工呼吸器または心電計などの生体モニタである。医用機器２は、患者の状態が異常と判断された場合（例えば、人工呼吸器または心電計などで異常値が測定された場合など）に、ＭＥ呼出であることを示す呼出種別の情報を含む呼出信号を出力する。また、医療機器２は、ナースコール親機６から制御機５、廊下灯４、壁埋込形子機３を介して画像取得命令が送られてきたときに、医療機器２での測定結果を示すＭＥ画像を生成して出力する。
【００２０】
壁埋込形子機３は、病室の各ベッドサイドの壁に埋め込み設置される。この壁埋込形子機３は、ハンド形子機１および医療機器２が接続される接続端子を備えている。また、壁埋込形子機３は、廊下灯４に接続されている。壁埋込形子機３は、ハンド形子機１または医療機器２から呼出信号を受けると、呼出元の識別情報（例えば、壁埋込形子機３の接続端子番号）および呼出種別情報を含む呼出信号を廊下灯４に出力する。また、壁埋込形子機３は、医療機器２からＭＥ画像を入力すると、それを廊下灯４に転送する。
【００２１】
廊下灯４は、各病室に設置される。廊下灯４は、複数の壁埋込形子機３が接続される複数の入力ポートを備え、どの入力ポートから呼出信号を受けたかに応じて、呼出信号の供給元である壁埋込形子機３を示す情報（例えば、ベッド番号）を特定する。そして、廊下灯４は、壁埋込形子機３の接続端子番号およびベッド番号に廊下灯４の識別情報（例えば、部屋番号）を加えて呼出元であるナースコール子機の識別情報を生成し、当該識別情報および呼出種別情報を含む呼出信号を制御機５に出力する。また、廊下灯４は、壁埋込形子機３からＭＥ画像を入力すると、それを制御機５に転送する。
【００２２】
制御機５は、廊下灯４とナースコール親機６との間に接続され、廊下灯４から供給された呼出信号をナースコール親機６に出力する。また、制御機５は、廊下灯４からＭＥ画像を入力すると、それをナースコール親機６に転送する。制御機５にはＩＰアダプタ７も接続されている。制御機５は、廊下灯４から呼出信号が供給されたときに、その呼出信号に含まれているナースコール子機の識別情報および呼出種別情報に加えて、呼出先のＩＰ携帯電話１０の識別情報を含む呼出信号を生成してＩＰアダプタ７に出力する。
【００２３】
ナースコール親機６は、ナースセンタに設置されている。このナースコール親機６は、壁埋込形子機３を識別するための子機識別情報（部屋番号およびベッド番号）と、その壁埋込形子機３があるベッドを使用している患者の情報（氏名、年齢など）とを対応付けた患者テーブルを図示しないメモリに保持している。また、ナースコール親機６は、上述した子機識別情報と、その子機識別情報に対応する患者の担当看護師が所持するＩＰ携帯電話１０の識別情報である電話番号情報とを対応付けた端末テーブルをメモリに保持している。
【００２４】
ナースコール親機６は、制御機５から呼出信号を入力すると、看護師の呼び出しを行うべく所定の呼出音をスピーカから出力する。また、ナースコール親機６は、制御機５から入力した呼出信号に含まれるナースコール子機の識別情報に基づき患者テーブルを参照して患者情報を特定し、当該患者情報を部屋番号やベッド番号、呼出種別と共にモニタ画面に表示する。
【００２５】
また、ナースコール親機６は、制御機５から入力した呼出信号に含まれる呼出種別情報に基づいて呼出種別がＭＥ呼出である否かを判定する。ナースコール親機６は、ＭＥ呼出であると判定した場合に、制御機５、廊下灯４、壁埋込形子機３を介して医療機器２に対して画像取得命令を送信し、その応答として、医療機器２から測定結果を示すＭＥ画像を壁埋込形子機３、廊下灯４および制御機５を介して取得する。そして、ナースコール親機６は、当該取得したＭＥ画像をＨＴＭＬ（HyperText Markup Language）画像として画像サーバ１１に格納する。
【００２６】
また、ナースコール親機６は、ＭＥ呼出とは関係のない任意のタイミングでＩＰ携帯電話１０からＳＩＰサーバ８、ＩＰアダプタ７および制御機５を介して送信されてくる画像取得要求（詳しくは後述する）を受信した場合に、制御機５、廊下灯４、壁埋込形子機３を介して医療機器２に対して画像取得命令を送信し、その応答として、医療機器２から測定結果を示すＭＥ画像を壁埋込形子機３、廊下灯４および制御機５を介して取得する。そして、ナースコール親機６は、当該取得したＭＥ画像をＨＴＭＬ画像として画像サーバ１１に格納する。
【００２７】
また、ナースコール親機６は、制御機５から呼出信号を入力すると、その呼出信号に含まれるナースコール子機の識別情報に基づき端末テーブルを参照し、担当の看護師が所持するＩＰ携帯電話１０の電話番号情報を特定し、当該電話番号情報を制御機５に通知する。この通知を受けた制御機５は、上述のように、呼出元であるナースコール子機の識別情報および呼出種別情報に加えて、呼出先であるＩＰ携帯電話１０の電話番号情報を含む呼出信号を生成してＩＰアダプタ７に出力する。
【００２８】
ＩＰアダプタ７は、制御機５から呼出信号を入力したときに、その呼出信号をＳＩＰサーバ８に転送する。ＳＩＰサーバ８は、ＩＰアダプタ７から転送されてきた呼出信号を呼出先のＩＰ携帯電話１０に送信する。具体的には、ＳＩＰサーバ８は、ＩＰ携帯電話１０と通信するための無線送受信機９に接続されている。ＳＩＰサーバ８は、ＩＰアダプタ７から呼出信号を入力すると、無線送受信機９を介して、当該呼出信号に含まれる電話番号情報を利用して呼出先のＩＰ携帯電話１０に架電し、呼出信号を送信する。
【００２９】
ＩＰ携帯電話１０は、ＳＩＰサーバ８から呼出信号を受信したときに、所定の呼出音をスピーカから出力する。また、ＩＰ携帯電話１０は、ＳＩＰサーバ８から呼出信号を受信したときに、その呼出信号に含まれている第１の画像ＩＤおよびナースコール子機の識別情報を含む呼出履歴情報を内部メモリに記録する。ここで、第１の画像ＩＤは、ＭＥ呼出の発生時に画像サーバ１１に格納されたＭＥ画像に紐付けられたＩＤである（これについては詳細を後述する）。
【００３０】
また、ＩＰ携帯電話１０は、内部メモリに記録された呼出履歴情報を利用して第１の画像ＩＤを含む第１の画像取得要求（特許請求の範囲の画像取得要求に相当する）を画像サーバ１１に送信する。なお、ＩＰ携帯電話１０と画像サーバ１１との間は、例えばＨＴＴＰ（HyperText Transfer Protocol）に基づく通信ネットワークを介して接続されている。これと同時に、ＩＰ携帯電話１０は、呼出履歴情報を利用してナースコール子機の識別情報を含む第２の画像取得要求をＳＩＰサーバ８、ＩＰアダプタ７および制御機５を介してナースコール親機６に向けて送信する。
【００３１】
画像サーバ１１にアクセスしたＩＰ携帯電話１０は、画像サーバ１１に格納されているＭＥ画像（第１の画像取得要求に含まれている第１の画像ＩＤに対応するＭＥ呼出発生時のＭＥ画像）と、第２の画像取得要求に応じてナースコール子機の識別情報に対応する医療機器２から新たに取得されて画像サーバ１１に格納された現在のＭＥ画像とを取得し、取得した２つのＭＥ画像をモニタ画面に表示させるように制御する。
【００３２】
次に、図１に基づいて本実施形態による画像表示制御システムの機能構成について説明する。図１に示すように、本実施形態による画像表示制御システムは、ナースコール親機６の機能構成として、呼出種別判定部１０１、呼出信号送信部１０２、第１のＭＥ画像取得部１０３、第２のＭＥ画像取得部１０４、画像ＩＤ通知部１０５および画像取得要求受信部１０６を備えている。
【００３３】
また、本実施形態による画像表示制御システムは、ＩＰ携帯電話１０の機能構成として、呼出履歴記録部２０１、内部メモリ２０２、操作受付部２０３、第１の画像取得要求送信部２０４、第２の画像取得要求送信部２０５および表示制御部２０６を備えている。
【００３４】
さらに、本実施形態による画像表示制御システムは、画像サーバ１１の機能構成として、第１のロケーション記憶部３０１、第２のロケーション記憶部３０２、画像表示制御部３０３、第１のＭＥ画像格納部３０４、第２のＭＥ画像格納部３０５、第１の画像取得要求受信部３０６および第２の画像取得要求受信部３０７を備えている。
【００３５】
ナースコール親機６の呼出種別判定部１０１は、ナースコール子機の識別情報および呼出種別情報を含む呼出信号を制御機５から入力したときに、呼出信号に含まれる呼出種別情報に基づいて、医療機器２からのＭＥ呼出が発生したか否かを判定する。
【００３６】
ナースコール親機６の呼出信号送信部１０２は、制御機５から入力した呼出信号に含まれるナースコール子機の識別情報に基づき端末テーブルを参照し、担当の看護師が所持するＩＰ携帯電話１０の電話番号情報を特定する。そして、その電話番号情報を利用して、制御機５、ＩＰアダプタ７およびＳＩＰサーバ８を介してＩＰ携帯電話１０に対して呼出信号を送信する。
【００３７】
ここで、呼出信号送信部１０２は、医療機器２からのＭＥ呼出が発生したと呼出種別判定部１０１により判定された場合には、第１の画像ＩＤおよびナースコール子機の識別情報を含む呼出信号をＩＰ携帯電話１０に向けて送信する。このとき用いる第１の画像ＩＤは、ＭＥ呼出の発生時に第１のＭＥ画像取得部１０３が医療機器２から取得したＭＥ画像に対して付与されたユニークな識別情報である。
【００３８】
ナースコール親機６の第１のＭＥ画像取得部１０３は、医療機器２からのＭＥ呼出が発生したとき、つまり、医療機器２からのＭＥ呼出が発生したと呼出種別判定部１０１により判定された場合、制御機５、廊下灯４および壁埋込形子機３を介して医療機器２に画像取得命令を送信し、医療機器２から測定結果を示すＭＥ画像を取得する。ここで取得するＭＥ画像を呼出発生時ＭＥ画像と称する。
【００３９】
第１のＭＥ画像取得部１０３は、呼出発生時ＭＥ画像を取得する際に、取得した呼出発生時ＭＥ画像に対してユニークな第１の画像ＩＤを発行する。そして、第１の画像ＩＤを呼出信号送信部１０２に通知する。この通知を受けた呼出信号送信部１０２は、上述したように、第１の画像ＩＤおよびナースコール子機の識別情報を含む呼出信号をＩＰ携帯電話１０に向けて送信する。
【００４０】
また、第１のＭＥ画像取得部１０３は、医療機器２から取得した呼出発生時ＭＥ画像およびそれに対して付与したユニークな第１の画像ＩＤを画像サーバ１１の第１のＭＥ画像格納部３０４に供給する。第１のＭＥ画像格納部３０４は、第１のＭＥ画像取得部１０３により取得された呼出発生時ＭＥ画像を第１の画像ＩＤと共に画像サーバ１１の第１のロケーション記憶部３０１に格納する。
【００４１】
ＩＰ携帯電話１０の呼出履歴記録部２０１は、ナースコール親機６の呼出信号送信部１０２により送信された呼出信号を受信したとき、ナースコール子機の識別情報を含む呼出履歴情報を内部メモリ２０２に記録する。呼出信号の中に第１の画像ＩＤが含まれている場合（呼出種別がＭＥ呼出であった場合）、呼出履歴記録部２０１は、第１の画像ＩＤおよびナースコール子機の識別情報を含む呼出履歴情報を内部メモリ２０２に記録する。
【００４２】
ＩＰ携帯電話１０の操作受付部２０３は、内部メモリ２０２に記録された呼出履歴情報をＩＰ携帯電話１０のモニタ画面に表示させるための操作を受け付ける。また、操作受付部２０３は、モニタ画面に表示された呼出履歴情報を利用してＭＥ画像を取得するための操作を受け付ける。
【００４３】
ＩＰ携帯電話１０の第１の画像取得要求送信部２０４は、呼出履歴情報を利用してＭＥ画像を取得するための操作を操作受付部２０３が受け付けたときに、当該呼出履歴情報に含まれる第１の画像ＩＤを含む第１の画像取得要求を画像サーバ１１に送信する。
【００４４】
画像サーバ１１の第１の画像取得要求受信部３０６は、ＩＰ携帯電話１０から送信された第１の画像取得要求を受信する。第１の画像取得要求受信部３０６は、ＩＰ携帯電話１０から第１の画像取得要求を受信した場合、その第１の画像取得要求（第１の画像ＩＤを含む）を画像サーバ１１の画像表示制御部３０３に通知する。
【００４５】
第１の画像取得要求送信部２０４は、第１の画像取得要求を画像サーバ１１に送信するのと同時に、呼出履歴情報に含まれるナースコール子機の識別情報を含む画像取得要求をナースコール親機６に向けて送信する。第１の画像取得要求送信部２０４から送信された画像取得要求は、ＳＩＰサーバ８、ＩＰアダプタ７および制御機５を介してナースコール親機６に供給される。
【００４６】
ナースコール親機６の画像取得要求受信部１０６は、ＩＰ携帯電話１０の第１の画像取得要求送信部２０４から送信された画像取得要求を受信する。画像取得要求受信部１０６は、ＩＰ携帯電話１０から画像取得要求を受信した場合、その画像取得要求（ナースコール子機の識別情報を含む）を第２のＭＥ画像取得部１０４および画像ＩＤ通知部１０５に通知する。
【００４７】
ナースコール親機６の第２のＭＥ画像取得部１０４は、画像取得要求受信部１０６から画像取得要求の通知を受けた場合、制御機５、廊下灯４および壁埋込形子機３を介して、当該画像取得要求に含まれるナースコール子機の識別情報に対応する医療機器２に対して画像取得命令を送信し、その医療機器２から測定結果を示すＭＥ画像を取得する。ここで取得するＭＥ画像を履歴確認時ＭＥ画像と称する。
【００４８】
第２のＭＥ画像取得部１０４は、履歴確認時ＭＥ画像を取得する際に、取得した履歴確認時ＭＥ画像に対してユニークな第２の画像ＩＤを発行し、画像ＩＤ通知部１０５に通知する。また、第２のＭＥ画像取得部１０４は、医療機器２から取得した履歴確認時ＭＥ画像およびそれに対して付与したユニークな第２の画像ＩＤを画像サーバ１１の第２のＭＥ画像格納部３０５に供給する。第２のＭＥ画像格納部３０５は、第２のＭＥ画像取得部１０４により取得された履歴確認時ＭＥ画像を第２の画像ＩＤと共に画像サーバ１１の第２のロケーション記憶部３０２に格納する。
【００４９】
ナースコール親機６の画像ＩＤ通知部１０５は、画像取得要求受信部１０６より画像取得要求の通知を受けたとき、第２のＭＥ画像取得部１０４より通知された第２の画像ＩＤをＩＰ携帯電話１０に向けて送信する。ナースコール親機６の画像ＩＤ通知部１０５から送信された第２の画像ＩＤは、制御機５、ＩＰアダプタ７およびＳＩＰサーバ８介してＩＰ携帯電話１０に供給される。
【００５０】
ＩＰ携帯電話１０の第２の画像取得要求送信部２０５は、ナースコール親機６の画像ＩＤ通知部１０５により送信された第２の画像ＩＤを受信したとき、当該第２の画像ＩＤを含む第２の画像取得要求を画像サーバ１１に送信する。
【００５１】
画像サーバ１１の第２の画像取得要求受信部３０７は、ＩＰ携帯電話１０から送信された第２の画像取得要求を受信する。第２の画像取得要求受信部３０７は、ＩＰ携帯電話１０から第２の画像取得要求を受信した場合、その第２の画像取得要求（第２の画像ＩＤを含む）を画像サーバ１１の画像表示制御部３０３に通知する。
【００５２】
画像サーバ１１の画像表示制御部３０３は、第１の画像取得要求および第２の画像取得要求の通知を受けた場合、第１の画像取得要求に含まれている第１の画像ＩＤに対応する呼出発生時ＭＥ画像を第１のロケーション記憶部３０１から読み出すとともに、第２の画像取得要求に含まれている第２の画像ＩＤに対応する履歴確認時ＭＥ画像を第２のロケーション記憶部３０２から読み出す。
【００５３】
そして、画像表示制御部３０３は、第１の画像取得要求および第２の画像取得要求を送信したＩＰ携帯電話１０に対して、上記のように読み出した呼出発生時ＭＥ画像および履歴確認時ＭＥ画像を送信して表示させるように制御する。ＩＰ携帯電話１０の表示制御部２０６は、画像サーバ１１の画像表示制御部３０３により送信された呼出発生時ＭＥ画像および履歴確認時ＭＥ画像をＩＰ携帯電話１０のモニタ画面に表示させる。
【００５４】
ここで、呼出発生時ＭＥ画像および履歴確認時ＭＥ画像の表示方法は任意に設計することが可能である。例えば、両画像を合成して表示するようにしてもよいし、両画像を並べて表示するようにしてもよいし、両画像を切り替えて表示するようにしてもよい。
【００５５】
次に、上記のように構成した本実施形態による画像表示制御システムの動作について説明する。図３は、ＭＥ呼出が発生したときにおける画像表示制御システムの動作例を示すフローチャートである。なお、図３に示すフローチャートは、医療機器２からＭＥ呼出が発生したときに開始する。
【００５６】
医療機器２において測定結果に異常が発生すると、医療機器２は、ＭＥ呼出の呼出種別情報を含む呼出信号を出力する（ステップＳ１）。この呼出信号は、壁埋込形子機３および廊下灯４を介して制御機５に供給される。制御機５に供給される時点で、呼出信号はナースコール子機の識別情報（壁埋込形子機３の接続端子番号およびベッド番号、廊下灯４の部屋番号）と呼出種別情報とを含むものとなっている。
【００５７】
制御機５は、廊下灯４から供給された呼出信号をナースコール親機６に出力する（ステップＳ２）。この呼出信号を受けたナースコール親機６は、その呼出信号に含まれるナースコール子機の識別情報に基づき端末テーブルを参照し、呼び出しが行われた医療機器２を使用する患者の担当看護師が所持するＩＰ携帯電話１０の電話番号情報を呼出先として特定する（ステップＳ３）。そして、特定した電話番号情報を制御機５に通知する（ステップＳ４）。
【００５８】
電話番号情報の通知を受けた制御機５は、廊下灯４より入力した呼出信号に含まれるナースコール子機の識別情報および呼出種別情報に加えて、電話番号情報を含む呼出信号を生成してＩＰアダプタ７に出力する（ステップＳ５）。
【００５９】
次に、ナースコール親機６の呼出種別判定部１０１は、制御機５から入力した呼出信号に含まれる呼出種別情報に基づいて、ＭＥ呼出が発生したか否かを判定する（ステップＳ６）。そして、ナースコール親機６の第１のＭＥ画像取得部１０３は、ＭＥ呼出が発生していると呼出種別判定部１０１により判定され場合、医療機器２に対して画像取得命令を送信することにより、医療機器２から測定結果を示す呼出発生時ＭＥ画像を取得し、それに対してユニークな第１の画像ＩＤを付与する（ステップＳ７）。
【００６０】
そして、第１のＭＥ画像取得部１０３は、医療機器２から取得した呼出発生時ＭＥ画像および第１の画像ＩＤを画像サーバ１１に供給する（ステップＳ８）。画像サーバ１１の第１のＭＥ画像格納部３０４は、ナースコール親機６から供給された呼出発生時ＭＥ画像を第１の画像ＩＤと共に第１のロケーション記憶部３０１に格納する（ステップＳ９）。なお、呼出種別がＭＥ呼出ではないと判定された場合、ステップＳ７〜Ｓ９の処理は行わない。
【００６１】
制御機５から呼出信号を受信したＩＰアダプタ７は、その呼出信号をＳＩＰサーバ８に転送する（ステップＳ１０）。ＳＩＰサーバ８は、ＩＰアダプタ７から転送されてきた呼出信号を呼出先のＩＰ携帯電話１０に送信する（ステップＳ１１）。すなわち、ＳＩＰサーバ８は、無線送受信機９を介して、呼出信号に含まれる電話番号情報を利用して呼出先のＩＰ携帯電話１０に架電し、呼出信号を送信する。
【００６２】
この呼出信号を受信したＩＰ携帯電話１０は、所定の呼出音をスピーカから出力することによって呼び出しを行う（ステップＳ１２）。また、ＩＰ携帯電話１０の呼出履歴記録部２０１は、第１の画像ＩＤおよびナースコール子機の識別情報を含む呼出履歴情報を内部メモリ２０２に記録する（ステップＳ１３）。なお、図３のフローチャートには示していないが、呼び出しを受けた看護師がＩＰ携帯電話１０をオフフックすることにより、ＭＥ呼出に対する応答を行うことが可能である。以上により、ＭＥ呼出発生時における図３に示すフローチャートの処理は終了する。
【００６３】
図４は、以上のようにしてＩＰ携帯電話１０に記録された呼出履歴情報を利用してＭＥ画像を取得する際における画像表示制御システムの動作例を示すフローチャートである。ここでは、制御機５、ＩＰアダプタ７およびＳＩＰサーバ８は単に信号を転送するだけなので、図示を省略する。なお、図４に示すフローチャートの処理は、呼出履歴情報を利用してＭＥ画像を取得するための操作を操作受付部２０３が受け付けたときに開始する。
【００６４】
まず、ＩＰ携帯電話１０の第１の画像取得要求送信部２０４は、呼出履歴情報を利用してＭＥ画像を取得するための操作を操作受付部２０３が受け付けたときに、当該呼出履歴情報に含まれる第１の画像ＩＤを含む第１の画像取得要求を画像サーバ１１に送信する（ステップＳ２１）。また、第１の画像取得要求送信部２０４は、呼出履歴情報に含まれるナースコール子機の識別情報を含む画像取得要求を、ＳＩＰサーバ８、ＩＰアダプタ７および制御機５を介してナースコール親機６に送信する（ステップＳ２２）。
【００６５】
画像サーバ１１では、ステップＳ２１でＩＰ携帯電話１０から送信された第１の画像取得要求を第１の画像取得要求受信部３０６にて受信すると、その第１の画像取得要求を画像表示制御部３０３に通知する。この通知を受けた画像表示制御部３０３は、第１の画像取得要求に含まれている第１の画像ＩＤに対応する呼出発生時ＭＥ画像を第１のロケーション記憶部３０１から読み出す（ステップＳ２３）。そして、画像表示制御部３０３は、第１のロケーション記憶部３０１から読み出した呼出発生時ＭＥ画像を、第１の画像取得要求を送信したＩＰ携帯電話１０に送信する（ステップＳ２４）。
【００６６】
一方、ナースコール親機６では、ＩＰ携帯電話１０の第１の画像取得要求送信部２０４から送信された画像取得要求を画像取得要求受信部１０６にて受信すると、その画像取得要求を第２のＭＥ画像取得部１０４および画像ＩＤ通知部１０５に通知する。
【００６７】
この通知を受けた第２のＭＥ画像取得部１０４は、制御機５、廊下灯４および壁埋込形子機３を介して、当該画像取得要求に含まれるナースコール子機の識別情報に対応する医療機器２に対して画像取得命令を送信し、その医療機器２から測定結果を示す履歴確認時ＭＥ画像を取得し、それに対してユニークな第２の画像ＩＤを付与する（ステップＳ２５）。
【００６８】
そして、第２のＭＥ画像取得部１０４は、医療機器２から取得した履歴確認時ＭＥ画像および第２の画像ＩＤを画像サーバ１１に供給する（ステップＳ２６）。画像サーバ１１の第２のＭＥ画像格納部３０５は、ナースコール親機６から供給された履歴確認時ＭＥ画像を第２の画像ＩＤと共に第２のロケーション記憶部３０２に格納する（ステップＳ２７）。
【００６９】
また、画像取得要求受信部１０６から画像取得要求の通知を受けた画像ＩＤ通知部１０５は、第２のＭＥ画像取得部１０４より通知された第２の画像ＩＤを制御機５、ＩＰアダプタ７およびＳＩＰサーバ８介してＩＰ携帯電話１０に送信する（ステップＳ２８）。
【００７０】
ＩＰ携帯電話１０では、ナースコール親機６の画像ＩＤ通知部１０５により送信された第２の画像ＩＤを受信したとき、第２の画像取得要求送信部２０５は、当該第２の画像ＩＤを含む第２の画像取得要求を画像サーバ１１に送信する（ステップＳ２９）。
【００７１】
画像サーバ１１では、ＩＰ携帯電話１０から送信された第２の画像取得要求を第２の画像取得要求受信部３０７にて受信すると、その第２の画像取得要求を画像表示制御部３０３に通知する。この通知を受けた画像表示制御部３０３は、第２の画像取得要求に含まれている第２の画像ＩＤに対応する呼出発生時ＭＥ画像を第２のロケーション記憶部３０２から読み出す（ステップＳ３０）。
【００７２】
その後、画像表示制御部３０３は、第２のロケーション記憶部３０２から読み出した履歴確認時ＭＥ画像を、第２の画像取得要求を送信したＩＰ携帯電話１０に送信する（ステップＳ３１）。ＩＰ携帯電話１０の表示制御部２０６は、画像サーバ１１からステップＳ２４で送信されてきた呼出発生時ＭＥ画像とステップＳ３１で送信されてきた履歴確認時ＭＥ画像とをモニタ画面に表示する（ステップＳ３２）。これにより、図４に示すフローチャートの処理は終了する。
【００７３】
以上詳しく説明したように、本実施形態では、医療機器２からのＭＥ呼出が発生したとき、医療機器２から測定結果を示すＭＥ画像を取得して呼出発生時ＭＥ画像として画像サーバ１１に格納する。また、ＩＰ携帯電話１０において呼出履歴情報を利用して呼出発生時ＭＥ画像を取得するための第１の画像取得要求が発生したとき、呼出履歴情報に含まれているナースコール子機の識別情報を含む画像取得要求を発生し、当該ナースコール子機の識別情報に対応する医療機器２から測定結果を示すＭＥ画像を取得して履歴確認時ＭＥ画像として画像サーバ１１に格納する。そして、画像取得要求を送信したＩＰ携帯電話１０に対して、画像サーバ１１から呼出発生時ＭＥ画像および履歴確認時ＭＥ画像を送信して表示させるようにしている。
【００７４】
このように構成した本実施形態によれば、ＭＥ呼出の発生時に呼出発生時ＭＥ画像が画像サーバ１１に格納された後、ＩＰ携帯電話１０から画像サーバ１１に対して呼出発生時ＭＥ画像の取得要求を送信すると、それと同時に新たに画像取得要求が発生し、医療機器２から現在の測定結果を示す履歴確認時ＭＥ画像が取得されて画像サーバ１１に格納される。そして、ＭＥ呼出の発生時に画像サーバ１１に格納された呼出発生時ＭＥ画像と、その呼出発生時ＭＥ画像の取得要求時に新たに画像サーバ１１に格納された現時点での履歴確認時ＭＥ画像とが画像取得要求元のＩＰ携帯電話１０に送信されて表示されることとなる。
【００７５】
これにより、例えばＭＥ呼出の発生時に手が離せず応答できなかった看護師が、その後ＭＥ呼出の履歴をＩＰ携帯電話１０にて確認しているときに、ＭＥ呼出の発生時における患者の状態に加えて、現時点で患者がどのような状態なのかをＭＥ画像によって確認することができるようになる。
【００７６】
なお、上記実施形態では、ＩＰ携帯電話１０が画像サーバ１１から呼出発生時ＭＥ画像を取得するとき、および履歴確認時ＭＥ画像を取得するときの２回に分けて画像サーバ１１へのアクセスを行う例について説明したが、本発明はこれに限定されない。例えば、ＩＰ携帯端末１０から画像サーバ１１へのアクセスは第１の画像取得要求を送信するときの１回のみとし、第２のＭＥ画像取得部１０４が医療機器２から履歴確認時ＭＥ画像を取得したときに、呼出発生時ＭＥ画像と履歴確認時ＭＥ画像とをまとめて画像サーバ１１からＩＰ携帯端末１０に送信するようにしてもよい。
【００７７】
なお、上記実施形態では、ＭＥ呼出の発生時には、医療機器２から呼出発生時ＭＥ画像を取得して画像サーバ１１に格納するのみであるが、特許文献１と同様に、ＭＥ呼出の発生時に看護師がＩＰ携帯電話１０をオフフックしたときに、医療機器２から取得した呼出発生時ＭＥ画像を画像サーバ１１からＩＰ携帯電話１０に送信して表示させるようにしてもよい。
【００７８】
この場合、ＩＰ携帯電話１０は、ＳＩＰサーバ８から呼出信号を受信したときに、呼出音の鳴動に応答して看護師がオフフックしたか否かを検出し、オフフックが検出されたときに、画像サーバ１１にアクセスする。そして、ＩＰ携帯電話１０は、第１の画像ＩＤを用いて、画像サーバ１１の第１のロケーション記憶部３０１に格納されている呼出発生時ＭＥ画像を取得し、取得した呼出発生時ＭＥ画像をモニタ画面に表示させる。
【００７９】
また、上記実施形態では、呼出発生時ＭＥ画像や履歴確認時ＭＥ画像をＩＰ携帯電話１０にて表示する例について説明したが、本発明はこれに限定されない。例えば、ＩＰ携帯電話１０に加えまたは代えて、ナースコール親機６において呼出発生時ＭＥ画像や履歴確認時ＭＥ画像を表示するようにしてもよい。この場合、医療機器２から取得したＭＥ画像をナースコール親機６の図示しないメモリに格納し、当該メモリにアクセスしてＭＥ画像を取得すればよい。
【００８０】
また、上記実施形態では、呼出種別判定部１０１、第１のＭＥ画像取得部１０３および第２のＭＥ画像取得部１０４の機能をナースコール親機６が備える例について説明したが、本発明はこれに限定されない。例えば、これらの機能を制御機５が備えてもよいし、ＩＰアダプタ７が備えてもよい。
【００８１】
これらの機能を制御機５が備える場合、制御機５にて呼出種別がＭＥ呼出か否かを判定し、ＭＥ呼出であると判定した場合には制御機５が医療機器２に対して画像取得命令を送信する。そして、その応答として医療機器２から送られてきた呼出発生時ＭＥ画像を制御機５にて取得し、それをナースコール親機６を介して画像サーバ１１に供給する。
【００８２】
また、ＩＰ携帯電話１０から制御機５に対して画像取得要求が送られてきた場合にも、制御機５が医療機器２に対して画像取得命令を送信する。そして、その応答として医療機器２から送られてきた履歴確認時ＭＥ画像を制御機５にて取得し、それをナースコール親機６を介して画像サーバ１１に供給する。
【００８３】
また、上記実施形態では、携帯用ナースコール親機の例としてＩＰ携帯電話１０を用いる例について説明したが、ＩＰ携帯電話１０の代わりにＰＨＳ端末を用いてもよい。この場合、例えばＳＩＰサーバ８の代わりにハンディナースコール主装置および構内交換機（ＰＢＸ）が用いられる。また、ＩＰアダプタ７の代わりにＰＢＸアダプタが用いられる。
【００８４】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００８５】
１  ハンド形子機
２  医療機器
３  壁埋込形子機
４  廊下灯
５  制御機
６  ナースコール親機
７  ＩＰアダプタ
８  ＳＩＰサーバ
９  無線送受信機
１０  ＩＰ携帯電話（携帯用ナースコール親機）
１１  画像サーバ
１０１  呼出種別判定部
１０２  呼出信号送信部
１０３  第１のＭＥ画像取得部
１０４  第２のＭＥ画像取得部
１０５  画像ＩＤ通知部
１０６  画像取得要求受信部
２０１  呼出履歴記録部
２０４  第１の画像取得要求送信部
２０５  第２の画像取得要求送信部
２０６  表示制御部
３０１  第１のロケーション記憶部
３０２  第２のロケーション記憶部
３０３  画像表示制御部
３０４  第１のＭＥ画像格納部
３０５  第２のＭＥ画像格納部
３０６  第１の画像取得要求受信部
３０７  第２の画像取得要求受信部
【図１】
2014220671.tif 000003
【図２】
2014220671.tif 000004
【図３】
2014220671.tif 000005
【図４】
2014220671.tif 000006